(57)【要約】      （修正有）【課題】便利にドライバーヘッドを取り外し、狭い空間内で作業ができる無段締め付けドライバーの継手を提供する。【解決手段】本体の一端には傾斜状の押し付け部のある接続溝が設けられ、接続溝内には軸方向に収納溝が設けられ、かつ本体の外側には収納溝を貫通する案内孔が設けられてある。磁石支え棒は弾性的に本体の収納溝内に設けられ、その磁石支え棒の一端には磁石が設けられ、磁石支え棒の磁石に反対する一端には当て部が設けられてある。連動部材は弾性的に本体の収納溝内に設けられ、連動部材の一端には固定部が設けられ、固定部と磁石支え棒の当て部には相対した定位嵌め当て関係が発生し、連動部材の固定部に反対する一端には定位孔のある定位部が設けられ、その定位孔は押し付け部と接触する定位部材を収納する。嵌め環は本体の案内孔の外側に取り付けられ、かつ連動部材の固定部に連接され、連動部材を連動するよう使用者の操作に供される。【選択図】図４
0003134147.tif 000002
【実用新案登録請求の範囲】
【請求項１】
それの一端に傾斜状の押し付け部のある接続溝が設けられ、接続溝には軸方向に収納溝が設けられ、かつそれの外側には収納溝を貫通する案内孔が設けられてある本体と、
弾性的に本体の収納溝内に設けられ、それの一端には固定部が設けられ、固定部に反対する一端には定位孔のある定位部が設けられ、その定位孔は押し付け部と接触する定位部材を収納する連動部材と、
本体の案内孔の外側に取り付けられ、かつ連動部材の固定部に連接され、連動部材と連動して使用者の操作に供される嵌め環が含まれ、これによってよい締め付け固定のドライバーヘッド(driver head)の効果が達成され、かつ便利に取り外せるドライバーヘッドの機能を持つ無段締め付けドライバーの継手。
【請求項２】
本体の接続溝の一端には外径が本体の外径より大きい接続部が形成され、嵌め環の外径は接続部の外径に等しいまたは小さく、それによって接続棒は阻害を受けなく狭い作業環境に伸び入ることができ、かつ嵌め環に本体の案内孔及び連動部材の固定部に伸び入る引き棒が設けられてある請求項１記載の無段締め付けドライバーの継手。
【請求項３】
本体内には磁石支え棒が設けられ、その磁石支え棒は弾性的に収納溝内に設けられ、かつ磁石支え棒の一端には磁石が設置され、磁石支え棒の磁石に反対する一端には当て部が設けられ、その当て部は連動部材の固定部と相対した定位嵌め当て関係を生じ、収納溝は階段状に設けられて肩部が備えられ、磁石支え棒も階段状に形成されて肩部が備えられ、その二つの肩部の間にはばねが設けられてあり、収納溝には更に底部が備えられ、連動部材の固定部と収納溝の底部の間にもばねが設けられてある請求項１記載の無段締め付けドライバーの継手。
【考案の詳細な説明】
【技術分野】
【０００１】
本考案の主要はドライバーの接続棒を開示するもので、特に便利にドライバーヘッドを取り外し、狭い空間内で作業ができる無段締め付けドライバーの継手を指したものである。
【背景技術】
【０００２】
図１に示すのは従来のドライバーの接続棒の構造意表図であり、それには磁石2のある取り付け部1が含まれ、磁気吸着方式をもってドライバーヘッド90を取り付けることができる。ところがこの種の伝統的ドライバーの接続棒は取り付け部1が固定の深さであるため、一般のドライバーヘッド90を吸着する場合、ドライバーヘッド90の外に露出する面積が少なく、そのために取り外す動作が面倒であり、特に使用者の手は常に油の汚れによって滑りやすくなり、ドライバーヘッド90の取り外しが難しくなる欠点が生じる。
【０００３】
その後、弾み出し式にドライバーヘッドを取り替えることができるドライバーの接続棒構造が設計され、それにはドライバーヘッドを接続する取り付け部3が含まれ、かつその取り付け部3の外側には引き環4が設けられ、その引き環4はスチールボール(steel ball)5によってドライバーヘッド90の凹溝91に定位することができ、外す場合は引き環4を引き、取り付け部3内の磁石6はドライバーヘッド90を取り付け部3の外へ少々押し出してドライバーヘッド90の取り外しを便利にし、ドライバーヘッド90の入れ替えの効果が達成される。
【０００４】
ところが、その従来の構造は実用に於いて多くの欠点があり、それはドライバーヘッド90の凹溝91とスチールボール5の互いの嵌め付け定位を用い、ドライバーヘッド90を固定する効果を達成するものであるので、単一系列のドライバーヘッドのみ嵌め付け定位ができる。もし別の規格のドライバーヘッド90を使うと凹溝91の前後位置及び深さが違うので、嵌め付け定位ができない問題が発生する。特に凹溝91の深さが浅いドライバーヘッド90は、引き環4がスチールボール5を凹溝91に押し込めない欠点が起こしやすくなる。または嵌め付け定位の径方向寸法が小さいドライバーヘッド90である場合、ドライバーヘッド90が緩んでしまい、または嵌め付け固定ができない状況が発生する。
【０００５】
また、引き環4は取り付け部3の外側に設けられているので、狭い空間である場合は差込不能の問題になって回し作業を行うことができない欠点になり、このような産業の利用に合致しない設計は非実用的であり、そのために改善する必要がある。
【考案の開示】
【考案が解決しようとする課題】
【０００６】
本考案『無段締め付けドライバーの継手』が解決しようとする技術的問題は、その従来構造のドライバーの継手にはドライバーヘッドの取り外しが難しいという問題があり、尚且つ狭い空間で作業することができない欠点、並びにドライバーヘッドの嵌め付け定位の効果がよくない、適応性が悪い等多くの欠点があるので、改善する余地がある。
【考案の効果】
【０００７】
上述から本考案には次の長所があることに帰納することができる。
１．本考案『無段締め付けドライバーの継手』の定位部材は押し付け方式をもってドライバーヘッドの嵌め当て面を固定しているので、どのような種類のドライバーヘッドを使用しても、良好かつ安定した無段式固定の効果を達成することができる。
２．本考案『無段締め付けドライバーの継手』の嵌め環は継ぎ手の外に取り付けられていなく本体に取り付けているので、全体的直径は最も小さく保持することができ、極狭い空間に使用されても軽易に工作物を回す効果を達成することができ、使用上便利である。
３．本考案『無段締め付けドライバーの継手』の磁石支え棒はドライバーヘッドを最も前に移動することができ、ドライバーヘッドは大面積に接続溝の外へ露出し、使用者はドライバーヘッドを便利に取り外すことができ、油汚れまたは手の滑りによってドライバーヘッドが取り外せない窮境を発生することにならない。
【考案を実施するための最良の形態】
【０００８】
本考案『無段締め付けドライバーの継手』には本体、磁石支え棒、連動部材と嵌め環が含まれる。本体の一端には傾斜状の押し付け部のある接続溝が設けられ、接続溝内には軸方向に収納溝が設けられ、かつ本体の外側には収納溝を貫通する案内孔が設けられてある。磁石支え棒は弾性的に本体の収納溝内に設けられ、その磁石支え棒の一端には磁石が設けられ、磁石支え棒の磁石に反対する一端には当て部が設けられてある。連動部材は弾性的に本体の収納溝内に設けられ、連動部材の一端には固定部が設けられ、固定部と磁石支え棒の当て部には相対した定位嵌め当て関係が発生し、連動部材の固定部に反対する一端には定位孔のある定位部が設けられ、その定位孔は押し付け部と接触する定位部材を収納する。嵌め環は本体の案内孔の外側に取り付けられ、かつ連動部材の固定部に連接され、連動部材を連動するよう使用者の操作に供される。これによってよい締め付け固定のドライバーヘッドの効果が達成され、かつ便利に取り外せるドライバーヘッドの機能が得られる。
【０００９】
図３と図４を参照ください。本考案の接続棒には本体10、磁石支え棒20、連動部材30と嵌め環40が含まれ、その中、
図４から図６に示すように、本体10には第一端と第二端があり、第一端はグリップ(grip)11に接して設けられ（図９に示す如く）、使用者の操作に供される。本体10の第二端には外径が本体の外径より大きい接続部12が形成される。本体10の第二端内には六角形状の接続溝13が設けられ、ドライバーヘッド90との接続に用いられる（図７に示す如く）。
【００１０】
接続溝13内には軸方向に階段状の収納溝14が設けられ、その収納溝14には底部141と肩部142が備えられてある。本体10の外側には径方向に収納溝14を貫き通る案内孔15が設けられてある。接続溝13内には更に傾斜に押し付け部16が設けられてある。
【００１１】
磁石支え棒20は滑り可能に本体10の収納溝14内に設けられ、かつ相対の軸方向の滑り関係を発生することができる。その磁石支え棒20の一端には磁石21が設けられてドライバーヘッド90の吸着に用いられる。磁石支え棒20の磁石21に反対する一端には孔23を備えた当て部22が設けられてある。磁石支え棒20の外側は階段状に形成されてばね24の取り付けに供される肩部201が備えられ、そのばね24は収納溝14の肩部142と磁石支え棒20の肩部201の間に設けられてある。
【００１２】
連動部材30は滑り可能に本体10の収納溝14内に設けられ、かつ相対した軸方向の滑り関係を発生することができる。連動部材30の一端には固定部31が設けられ、固定部31は磁石支え棒20の当て部22と相対した定位嵌め当て関係を発生することができる。かつ連動部材30の固定部31と収納溝14の底部141の間には更に磁石支え棒20の孔23に伸び入るばね32が設けられてある。固定部31の孔23に相対する位置にはばね32を定位する突起311が設けられてある。
【００１３】
連動部材30の固定部31に反する一端には本体10の押し付け部16に伸び入る定位部33が設けられ、その定位部33には定位部材34の収納に供される漏斗状の定位孔331が設けられてある。定位部33は多少の弾性があり、それは定位部材34を押し付け部16に接触させ、かつ定位部材34は局部的に定位孔331の外に露出する。本実施例に於いて、その定位部材34はスチールボールである。
【００１４】
嵌め環40は本体10の案内孔15の外側に取り付けられ、使用者はそれを操作して連動部材30を連動する。嵌め環40には本体10の案内孔15及び連動部材30の固定部31に伸び入る引き棒41が設けられ、嵌め環40は引き棒41が案内孔15内での移動によって本体10に相対した軸方向の移行関係を生じる。嵌め環40の外径は接続部12の外径に等しいまたは小さく、それによって接続棒は阻害を受けなく狭い作業環境に伸び入ることができる。嵌め環40の末端周囲には滑り防止部401が設けられて使用者の使用を便利にする。
【００１５】
図７本考案のドライバーヘッド90を挿入した状態図を参照ください。ドライバーヘッド90が本体10の接続溝13に挿入されると、磁石支え棒20は収納溝14に押し込まれてばね24を圧縮し、同時にドライバーヘッド90の嵌め当て面92は定位部材34に接触し、定位部材34と押し付け部16の間に回転（または滑り）関係が発生し、それによって連動部材30は収納溝14内へある距離移動し、並びに嵌め環40と引き棒41を同じ距離後退するよう連動する。
【００１６】
図８と図９本考案のドライバーヘッド90を固定した状態図を参照ください。ドライバーヘッド90が予定された位置へ挿入されると、連動部材30はばね32の押さえを受けて接続溝13の前方へ移動し、それによって定位部33は定位部材34を押し付け部16内で前へ移行し、押し付け部16が傾斜状に設けられてあるので、定位部材34はドライバーヘッド90の嵌め当て面92を圧迫し、ドライバーヘッド90は良好かつ安定な固定効果を得ることができる。
【００１７】
使用時は図９に示すように、本考案の嵌め環40は本体10に取り付けられて接続部12の外側に取り付けていなく、そのために全体の直径は最も小さい情況を保持することができ、極めて狭い空間で使用しても軽易に工作物99を回す効果を達成することができ、使用上便利である。
【００１８】
図10本考案のドライバーヘッド90を外す状態図を参照ください。使用者が嵌め環40を引くと連動部材30は連動されて後退し、定位部材34はそれに伴って後へ移動し、ドライバーヘッド90の嵌め当て面92は締め付けの力を失う。この場合、磁石支え棒20はばね24押さえを受けてドライバーヘッド90を接続溝13の前へ押し動かし、磁石支え棒20の当て部22が連動部材30の固定部31を接触してから止まる。
【００１９】
図11本考案のドライバーヘッド90を取り外した状態図を参照ください。使用者が嵌め環40を外すと、連動部材30はばね32の押さえを受けて接続溝13の前へ移動し、それと同時に磁石支え棒20も完全に最も前へ移動し、ドライバーヘッド90は大面積に接続溝13の外へ露出して使用者はドライバーヘッド90を便利に取り外すことができ、油汚れまたは手の滑りによってドライバーヘッド90が取り外せない窮境が発生することにならない。また磁石支え棒20にはドライバーヘッド90を吸着するための磁石21が設けられているので、磁石支え棒20がばね24に押さえられて弾み出してもドライバーヘッド90が飛び出す欠点がなく、これも相当に人間性のある親切な設計である。
【００２０】
図12と図13本考案のその他最適実施例を参照ください。本考案の定位部材34は押し付け方式をもってドライバーヘッド93、94の嵌め当て面92を固定しているので、どのような種類のドライバーヘッド93、94を使用しても、良好かつ安定した無段式固定の効果を達成することができ、同時に狭い空間で作業することができる及び便利にドライバーヘッド93、94を取り外す利点があり、それは極めて産業的利用価値のある設計である。
【図面の簡単な説明】
【００２１】
【図１】従来のドライバー接続棒の構造意表図である。
【図２】別の従来のドライバー接続棒の構造意表図である。
【図３】本考案の立体外観図である。
【図４】本考案の立体分解図である。
【図５】本考案図３の5−5断面線に沿って取った断面図である。
【図６】本考案図５の6−6断面線に沿って取った断面図である。
【図７】本考案のドライバーヘッドを挿入した状態図である。
【図８】本考案のドライバーヘッドを固定した状態図である。
【図９】本考案のドライバーヘッドを固定した状態図で、それが狭い空間に使用されたことを表す。
【図１０】本考案のドライバーヘッドを釈放した状態図である。
【図１１】本考案のドライバーヘッドを取り外した状態図である。
【図１２】本考案の他のドライバーヘッドを固定した使用例である。
【図１３】本考案の他のドライバーヘッドを固定した使用例である。
【符号の説明】
【００２２】
（従来構造）
1    取り付け部
2    磁石
3    取り付け部
4    引き環
5    スチールボール
6    磁石
(本考案)
10    本体
11    グリップ
12    接続部
13    接続溝
14    収納部
141   底部
142   肩部
16    押し付け部
20    磁石支え棒
201   肩部
21    磁石
22    当て部
23    孔
24    ばね
30    連動部材
31    固定部
311   突起
32    ばね
33    定位部
331   定位孔
34    定位部材
40    嵌め環
401   滑り防止部
41    引き棒
90    ドライバーヘッド
91    凹溝
92    嵌め当て面
93    ドライバーヘッド
94    ドライバーヘッド
99    工作物
【図１】
0003134147.tif 000003
【図２】
0003134147.tif 000004
【図３】
0003134147.tif 000005
【図４】
0003134147.tif 000006
【図５】
0003134147.tif 000007
【図６】
0003134147.tif 000008
【図７】
0003134147.tif 000009
【図８】
0003134147.tif 000010
【図９】
0003134147.tif 000011
【図１０】
0003134147.tif 000012
【図１１】
0003134147.tif 000013
【図１２】
0003134147.tif 000014
【図１３】
0003134147.tif 000015
【手続補正書】
【提出日】平成19年5月25日(2007.5.25)
【手続補正１】
【補正対象書類名】実用新案登録請求の範囲
【補正対象項目名】請求項１
【補正方法】変更
【補正の内容】
【請求項１】
本体の一端に設けられる傾斜状の押し付け部のある接続溝と、前記接続溝に軸方向に設けられる収納溝と、本体の外側に前記収納溝に貫通する案内孔とを有する本体と；
前記本体の収納溝内に設けられるとともに、一端に設けられる固定部と、前記固定部に反対する一端に設けられる定位孔のある定位部と、前記定位孔に収納されるとともに前記押し付け部と接触する定位部材とを有する連動部材と、
前記本体の案内孔の外側に取り付けられ、かつ前記連動部材の固定部に連接されるとともに前記連結部材と連動して使用者の操作供される嵌め環とを含み、
これによってよい締め付け固定のドライバーヘッドの効果が達成され、かつ便利に取り外せるドライバーヘッドの機能を持つ無段締め付けドライバーの継手。